Podtech/llm-jp-corpus-v4-ja_patent huggingface dataset:
(57)【要約】      （修正有）【課題】破れ目地で施工でき、縦筋間隔を均等に２００ｍｍで施工でき、内部間仕切壁と直行する耐力壁との一体性を計ることが容易な型枠状コンクリートブロックを提供する。【解決手段】型枠状コンクリートブロックの２枚のウェブ１−２を、その中心線の間隔をブロック長さの四分の一の位置に配置したので、破れ目地工法の施工が可能になり、縦筋の間隔も２００ｍｍの倍数で施工できる。連結用凹み目地１−３を設けたので、コンクリート打設時の打設圧力に負けない。隅用型枠コンクリートブロックに破断用Ｖ溝１−４をつけたので簡単に破断でき、破れ目地でもコンクリートが一体になる。型枠状コンクリートブロックのフランジ１の両面の真ん中に破断用Ｖ溝１−４を作ったので、片面だけ破断でき、間仕切壁での直行するコンクリートが一体になる。【選択図】図１
2012207512.tif 000002
【特許請求の範囲】
【請求項１】
長さ４００ｍｍの基本型枠状コンクリートブロックの２枚のウエブの中心線間隔を中央で１００ｍｍとする。
【請求項２】
長さ４００ｍｍの型枠状コンクリートブロックの基本形のフランジの両面に連結用凹み溝を４箇所設ける。
【請求項３】
長さ４００ｍｍの型枠状コンクリートブロックの基本形の２枚のウエブの中央に破断用Ｖ溝を２箇所設ける。
【請求項４】
長さ４００ｍｍの型枠状コンクリートブロックの基本形の上面に水きり用面取りを設ける。
【請求項５】
長さ４００ｍｍの隅用型枠コンクリートブロックの１枚のウエブの中心線を端から１５０ｍｍの位置に設ける。
【請求項６】
長さ４００ｍｍの隅用コンクリートブロックの側面の直行する部分に破断用Ｖ溝を巾を１４０ｍｍとして２箇所設ける。
【請求項７】
長さ４００ｍｍの隅用型枠コンクリートブロックの直行する外部の側面と解放されたフランジの縦方向に連結用凹みを間隔１７０ｍｍとして２箇所設ける。
【発明の詳細な説明】
【発明の詳細な説明】
【０００１】本発明は、建築工事で使用される、型枠状コンクリートブロックが、破れ目地で施工でき、工事現場で、その用途に合わせて、誰でもが、加工できるようにしたものである。
【０００２】従来の型枠状コンクリートブロックは、芋目地でしか使用できなかったのである。
【０００３】正確に縦筋を２００ｍｍピッチの倍数で配筋出来、その鉄筋コンクリートとしての、強度のばらつきがなくなったのである。
【０００４】この発明により、施工の期間の短縮が図られ、誰でもが、簡単な道具さえあれば、専門的な知識が無くても、施工が出来るようになったのである。
【０００５】基準法上、階数と高さの制限は５階と２０ｍまでとあるが、用途の制限が無く、その使われる用途は無制限なのである。
【図１】
2012207512.tif 000003
【図２】
2012207512.tif 000004
【手続補正書】
【提出日】平成23年5月17日(2011.5.17)
【手続補正１】
【補正対象書類名】明細書
【補正対象項目名】全文
【補正方法】変更
【補正の内容】
【発明の詳細な説明】
【発明の詳細な説明】
【０００１】本発明は、建築工事で使用される、型枠状コンクリートブロックが、破れ目地で施工でき、工事現場で、その用途に合わせて、誰でもが、加工できるようにしたものである。
【０００２】従来の型枠状コンクリートブロックは、芋目地でしか使用できなかったのである。
【０００３】正確に鉄筋を２００ｍｍピッチの倍数で配筋出来、その鉄筋コンクリートとしての、強度のばらつきがなくなったのである。
【０００４】この発明により、施工の期間の短縮が図られ、誰でもが、簡単な道具さえあれば、専門的な知識が無くても、施工が出来るようになったのである。
【０００５】基準法上、階数と高さの制限は５階と２０ｍまでとあるが、用途の制限が無く、その使われる用途は無制限なのである。
【図面の簡単な説明】
【０００６】
【図１】基本型型枠状コンクリートブロック
【図２】隅用型枠状コンクリートブロック
【符号の説明】
【０００７】１．型枠状コンクリートブロックのフランジ
２．型枠状コンクリートブロックのウエブ
３．連結用凹み目地
４．切断用Ｖ溝
５．水切り用面取り
【手続補正２】
【補正対象書類名】図面
【補正対象項目名】全図
【補正方法】変更
【補正の内容】
【図１】
2012207512.tif 000005
【図２】
2012207512.tif 000006
(57)【要約】      （修正有）【課題】従来の製品が引き起こす金属的な音色、及びリード・マウスピースへ及ぼす傷などの負担軽減、またリードの差し替えに要する動作の円滑化を図る。【解決手段】リガチャーは素材に皮４と木材５を使用することで、従来の金属製品よりリードの振動を豊かにし、同時に音の強弱や音色の調整を円滑に行うことができる。これにより木管楽器の持つ本来の音色を引き出し、さらに従来製品とマウスピースの摩擦により生じていた傷などからマウスピースの保護を計る。また、ネジの巻き上げや紐の巻き付けを必要としないため、リード差し替え時に要した動作を短縮することができる。【選択図】図３
2012145683.tif 000002
【特許請求の範囲】
【請求項１】
素材に皮と、材質比重０.８〜１.２g/cm3までの変形が少なく硬度を持った木材を使用し、マウスピースの形状に合わせて形成し装着することで、リードとマウスピース本体の固定を行う木管楽器リガチャー。
【請求項２】
皮は１枚皮とし、表面にはリードとマウスピースの安定性を目的とした縫い目を施した。請求項１に記載の木管楽器リガチャー。
【請求項３】
皮の表裏に硬化液を塗布した請求項１および２に記載の木管楽器リガチャー。
【発明の詳細な説明】
【技術分野】
【０００１】
本発明はマウスピースの形状に合わせて形成し、リードとマウスピース本体を固定するための木管楽器リガチャーに関する。
【背景技術】
【０００２】
クラリネット族、サクソフォンなどのリードを使用する楽器においてはリードをマウスピースに固定する事を基本にリガチャーは製作されている、初期の方法としては、リードを配置したマウスピースに紐を巻き付け固定する手法が用いられ、その後、金属を使用した製品へと変化し、現在でも金属製リガチャーが主流となっている。
【先行技術文献】
【特許文献】
【０００３】
【特許文献１】特開２００８-２３３２５０公報
【発明の概要】
【発明が解決しようとする課題】
【０００４】
金属の製品でリードを固定するとリード本来の弾力性が失われ高音から低音への音色が金属的な音色となり、また金属部分がリードやマウスピースに傷を付ける要因となっている。
【０００５】
ドイツのオーケストラでは紐を使用してマウスピースとリードを固定しているプレイヤーもいる。この手法は音色安定や演奏感は得ることができるが、演奏途中のリードの差し替えや調整に時間を要してしまう。この問題を解決する為に紐の代わりに、ネジで締めるという金属製品への転換が行われるようになる。これにより、リードの差し替えや調整は容易になったが、音色や演奏感が紐固定方式よりも劣ってしまうという問題も起こってしまった。
【課題を解決するための手段】
【０００６】
本発明は以上の課題を解決するため、素材は金属ではなく皮と木材を使用し、対象となるマウスピースの形状に合わせ、リードを固定するための木管楽器リガチャーである。
【０００７】
本発明はマウスピースを皮で包み込み、金属をいっさい使用せずリードとマウスピースに適度な締まり具合を生じさせる。その為、マウスピースとリードを固定出来るように、各社のマウスピースサイズに合わせて製作する。
【０００８】
本発明の基本は、手でマウスピースとリードを固定して吹く事にヒントを得ている。その感触に近い状態を作る為に金属製で包み込むのではなく皮を使用し、柔軟な固定をする事によりリードの振動を阻害する事なく、リード本来の振動を最大限に引き出す事で奏者に音量や音色をより体感で出来るようにしている。
【発明の効果】
【０００９】
従来の金属製品は、リードを金属ネジで締め付けることで固定するため、マウスピースとリードに摩擦が生じ、傷をつけていた。しかし本発明は皮を使用する事によりマウスピース自体に生じる摩擦を軽減し、傷を付けることがなくなるため、マウスピース保護の役目も果たし、同時に、皮で製作する事によりリードの振動を最大限に増幅させる事が出来る。
【００１０】
また、紐で固定した際の演奏途中のリード交換への欠点や、金属製品を使用した際の金属的な響きが改善されるため、高音域から低音域への素早い奏法などが容易になり、木管楽器特有の弾力性に飛んだ美しい音色を作りだす事が出来る。
【図面の簡単な説明】
【００１１】
【図１】本発明品本体をマウスピースに装着した状態の図である。
【図２】図１に角度をつけた斜視図である。
【図３】本発明品本体のみの斜視図である。
【発明を実施するための形態】
【００１２】
以下、本発明の実施の形態を、図１〜図３に基づき説明する。
【００１３】
図１と図２がマウスピース６に本発明のリガチャーを装着した際の立面図及び斜視図で、図３が皮厚を表すために正面から４５度程度傾けた斜視図である。
【００１４】
本発明はマウスピース６の吹き込み口側から楽器本体とのジョイント部に向かいはめ込む形で装着する。マウスピース６は下面に向かい広がるため、本発明のリガチャーの側面形状もマウスピース６に合わせた形状を成す。故に下面に向かい緩やかな台形を形成する。
【００１５】
従来の金属製品はネジを奏者の好みで締め付け、リード７の固定を行っていたが、演奏の度にその度合いにはズレが生じてしまうという難点も備えていた。しかし本発明ではネジで締めていた状態をあらかじめマウスピース６の形状に合わせて形成するため、そのズレを緩和することが可能になっている。
【００１６】
皮１及び４の厚さは０.５mm〜３mmとする。皮１及び４は強度を備え、形状を保つために、硬化液を使用し、硬度を持たせる。これによりリード７の固定を確かなものとし、更に振動を調整することにより、木管楽器特有の音色を引き出すことが出来る。
【００１７】
本発明には図１ないし図３に示したように縫い目２及び３を施す。この２カ所の縫い目２及び３は金属製品のリガチャーのネジと同様の意図を持つ。２カ所の縫い目２及び３はリード７を固定する補助役割を担い、リードに十分な振動を持たせることができると同時に、マウスピース６と本発明のリガチャーのズレを防ぐ役割を果たす。また、この縫い目２及び３は装飾の意味合いも持つ。
【００１８】
本製品は皮を扇状に加工した１枚皮の端部を縫い合わせることにより、筒状を形成する。縫い合わせた端部には木材５を接着する。木材５を接着することで、縫い合わせた端部の強度と安定性を保ち、また、木材表面に面取りを行うことにより、縫い目２及び３と同様に装飾の意図を持たせる。木材５は木質比重０.８〜１.２g/cm3までの変形が少ない硬度を持った木材であり、例えば黒檀や樫やローズウッドや桜。
【符号の説明】
【００１９】
１  皮の厚み
２  縫い目２
３  縫い目３
４  皮
５  木材
６  マウスピース
７  リード
【図１】
2012145683.tif 000003
【図２】
2012145683.tif 000004
【図３】
2012145683.tif 000005
(57)【要約】【課題】洗濯の度に給水ホースを出し入れしなくて済む方法はないだろうか？【解決手段】給水ホースを壁の中に通し先端に着いている浄化フイルターを浴槽の中に入れっぱなしでも解決するがホースの耐久性、浴槽の中に汚れたフイルターが常時あり精神的に苦痛、浴室の壁からホースがだらりと出ているのは見栄えの問題あり、本発明はこれらの問題を解決するものである【選択図】図２
2012145236.tif 000002
【特許請求の範囲】
【発明の詳細な説明】
【発明の概要】
【発明が解決しようとする課題】現在の自動洗濯機には殆ど風呂水給水ポンプ内臓のものが大半ですが、風呂水を利用するには▲１▼給水ホースを浴槽に入れる▲２▼洗濯終了後にホース拭き片づける▲３▼濡れた床を拭く▲４▼ホースが浴室のドアを閉めるのを邪魔する
【課題を解決するための手段】自動お湯張り、追い炊き機能付の給湯器に浴槽とつないであるパイプを途中で分岐して電磁弁を経由して洗濯機の風呂水給水口につなぐ
【選択図】
図１
【発明の効果】
すでに給水ホースは接続されているため▲１▼〜▲３▼までの一連の動作が不要、さらに他の者が浴室を利用していても浴室のドアがピタリと閉めることができるため洗濯時間を自由に出来る
【図面の簡単な説明】給湯器のリモコンにボタンを設けこれを操作する事によりお湯張り、追い炊き機能を停止させ電磁弁を開放後洗濯機の給水ポンプの働きにより風呂水の給水が始まるリモコンのボタンは約数十分後に自動的に解除される。
【背景技術】風呂水を給水するには追い炊き用のパイプの途中に給水パイプを接続するだけで達成しますが、このままでは浴槽の自動お湯張りを実行しますと洗濯機の方にもお湯が流れしいては、給湯器がエラー表示して停止します。
これを防止するには洗濯機の上部に蛇口をつけて洗濯の時はあける終わったら閉めるを確実に実行する必要があります。
【発明の効果】
本発明品を利用すれば簡単に低価格で風呂水の再利用ができ水道代の節約と下水処理費軽減さらに上水道の使用量を減らしＣＯ２の削減等地球環境に貢献する発明品である。
【図１】
2012145236.tif 000003
【図２】
2012145236.tif 000004
【手続補正書】
【提出日】平成23年2月9日(2011.2.9)
【手続補正１】
【補正対象書類名】特許請求の範囲
【補正対象項目名】全文
【補正方法】変更
【補正の内容】
【特許請求の範囲】
【請求項１】
追い炊き機能付給湯器に風呂水給水ポンプ内蔵型洗濯機の給水ホースを接続するための接続口を設ける。
【手続補正２】
【補正対象書類名】明細書
【補正対象項目名】全文
【補正方法】変更
【補正の内容】
【発明の詳細な説明】
【技術分野】
【０００１】本発明品は風呂の残り湯で洗濯する際ホースの出し入れを省略できるものである。
【発明の概要】
【発明が解決しようとする課題】風呂水給水ポンプ内臓型洗濯機を使用して風呂の残り湯を利用するには▲１▼浴室ドアを開け給水ホースを浴槽に入れる
▲２▼洗濯終了後にホースを片付ける
▲３▼濡れた床を拭く
▲４▼洗濯中は浴室のドアが閉まらないため他の人が利用出来ない
【選択図】
図１
【課題を解決するための手段】
【背景技術】
【０００２】浴室の壁に穴を開け給水ホースを通し先端にフイルターを取付けて置いておき、洗濯時に浴槽に入れれば解決しますが洗面所にホースが這いずり見栄えの問題あり、浴室に汚れたフイルターが常時あり精神的に苦痛【０００３】風呂水を給水するには給湯器と浴槽を接続してある循環パイプの１方を途中で分岐して給水ポンプ内臓型洗濯機の接続口に接続だけで達成しますが、このままで浴槽の自動お湯張り、追い炊きを実行しますと洗濯機の方にもお湯が流れ、しいては給湯器がエラー表示して停止します。
これを防止するには洗濯機の上部にバルブを設け洗濯時は開け終わったら閉じる、これを確実に実行する必要があります。【０００４】本発明品はこれら一連の動作を必要とせず簡単に残り湯を再利用できる。
【図面の簡単な説明】
【図１】図１は残り湯を利用して選択中の浴室平面図である  洗濯機から伸びている給水ホースがドアを遮り浴槽の中にある、この状態ではドアにホースが邪魔して閉じる事が出来ない又ホースの一部がお湯の中にあるため終了後片付けるときホースが濡れているため洗面所の床を濡らすホースの片付けと床掃除が面倒であり又床材の老朽が早く補修時期が早くなりあまりエコとは言えない
【図２】図２は追い炊き機能タイプの給湯器の正面図である。このタイプの給湯器には給水、給湯、循環往き、循環戻り等の接続口が設けられている。本発明品は循環パイプを途中で分岐して電磁弁を経由して洗濯機給水口に接続するための接続口を設ける。
【図３】
2012145236.tif 000005
2012145236.tif 000006
【図４】図４は本発明品の全体図である。給湯器から延びて来たパイプを洗濯機上部まで配管、壁から出てきた接続口にフイルター機能を持たせたＢＯＸを経由後給水口に接続。フイルター汚れも簡単に目視でき手入れ時期を用意に確認出来る。
【手続補正３】
【補正対象書類名】図面
【補正対象項目名】全図
【補正方法】変更
【補正の内容】
【図１】
2012145236.tif 000007
【図２】
2012145236.tif 000008
【図３】
2012145236.tif 000009
【図４】
2012145236.tif 000010
(57)【要約】【課題】本体そのものが相互に幾十にも重なり筱着することにより嵩張らない、保管性携帯性に優れ、栞や付箋としても使用できる篏着連結クリップを提供する。【解決手段】弾力性のある薄板の小片を下挟板（１）とし、その内側に上部一辺を残した囲み型の切り込みを入れることにより形成する上挟板（２）とその切り込みと接触しないスペースに押圧による凸型（３）を設けることで形成する。保管、携帯の際には表面の凸部分を他方の裏側の凹部分に篏着することを繰り返すことで、複数個がコンパクトに一体となることを特徴とする。【選択図】図３
2012145213.tif 000002
【特許請求の範囲】
弾力性のある薄板の小片を下挟板（１）とし、その内側に上部一辺を残した囲み型の切り込みを入れることにより形成する上挟板（２）とその切り込みと接触しないスペースに押圧による凸型（２）を形成する。
【発明の詳細な説明】
【技術分野】
【０００１】この発明はクリップそのものが相互に幾十にも重なり筱着することにより嵩張らない、保管性携帯性に優れたクリップに関するものである。
【背景技術】
【０００２】従来、数枚の紙片を仮止するためのクリップはそのものの体積に比べケースがたいへん大きいため、保管する場所が机周りに限られていた。本発明はクリップそのものが幾十にも篏着でき、体積を取らないため複数個の携帯性、保管性に優れている。優れた携帯性故にクリップ本来の用途以上に使い勝手が広がり、栞、付箋としても使用できることにある。
【発明の開示】
【発明が解決しようとする課題】
【０００３】これは次のような欠点があった。
（イ）クリップそのものの体積に比べケースが大きく保管性が悪い。
（ロ）（イ）の理由から保管場所が限られ、複数個の携帯性に難がある。
（ハ）弾力性のある小片板で作られた栞としても使用できるクリップはあるが、複数個を携帯するにはむいていない。
本発明は、以上のような欠点をなくすためになされたものである。
【課題を解決するための手段】
【０００４】弾力性のある薄板の小片を下挟板（１）とし、その内側に上部一辺を残した囲み型の切り込みを入れることにより形成する上挟板（２）とその切り込みと接触しないスペースに押圧による凸型（３）を設けることで形成する。保管、携帯の際には表面の凸部分を他方の裏側の凹部分に篏着（することを繰り返すことで、複数個がコンパクトに一体となる。本発明は、以上の構成よりなる保管性、携帯性に優れた篏着連結クリップである。
【発明の効果】
【０００５】幾十ものクリップを連結して携帯できることや形状からクリップとしての用途だけでなくミニ栞としても利用できるため手帳用の栞としてや付箋としての利用も可能で、用途ばかりでなく、使用場所も机周りに限らず使用シーンが広がる。また囲み型の切り込みを入れることにより形成する上挟板（２）と押圧による凸型（３）だけというシンプルな構造故に本体そのものに自由な形状、デザインを施すことができる。
【発明を実施するための最良の形態】
【０００６】本発明は弾力性のあるプラスチックや金属薄板の小片を下挟板（１）とし、その内側に上部一辺を残した囲み型の切り込みをに入れることにより形成する上挟板（２）、その切り込みと接触しないスペースに押圧により成された凸型（３）からなる。凸型は四角形に限らず、円形や多角形でも差し支えがない。また切り込みの代わりに別の小片の上部を接着することで、この上挟板を形成することも可能である。保管、携帯の際には表面の凸部分を他方の裏側の凹部分に篏着することを繰り返すことで、複数個がコンパクトに一体となる。使用する際には一枚づつ剥がす。
【図面の簡単な説明】
【０００７】
【図１】本発明の斜視図である。
【図２】本発明の断面図である。
【図３】複数個を篏着した状態の斜視図である。
【図４】複数個を篏着した状態の断面図である。。
【符号の説明】
【０００８】１    下挟板
２    上挟板
３    凸部
【図１】
2012145213.tif 000003
【図２】
2012145213.tif 000004
【図３】
2012145213.tif 000005
【図４】
2012145213.tif 000006
(57)【要約】【課題】従来、発動装置を稼動させるには、原子力、石油、石炭等が燃料として使用され、又ダムや河川の水が大量に使用され廃棄されてきた。  本発動装置は少量の物体の重力と液圧による浮力で稼動する事ができ、大量の燃料の焼失、大量の水の廃棄をしないことで従来の欠点を解消し、世に提供する。【解決手段】本発明は、最上部に車輪を設け、その外周の下にＪ型筒を設ける。その中に連銷した物体を通して先端と最後部を繋ぎ、リング状にして車輪に掛け、Ｊ型筒の最上部手前迄液体に沈める。  故に物体は重量によって下降し、Ｊ型にカーブしたのち上に向かって液中に入り、浮力によって上昇する。  本発明は、以上の構成によって成り回転し続ける発動装置である。【選択図】図１
2012145094.tif 000002
【特許請求の範囲】
【請求項１】
物体の重力と液圧による浮力を動力原として稼動する発動装置。
【請求項２】
動力原である物体は液中にあっては同等、又は液より軽い。
【発明の詳細な説明】
【技術分野】
【０００１】  本発明は、液体と物体の重力と液圧による浮力を動力原とする発動装置に関するものである。【０００２】  本発明は、縦型のパイプの下部をＪ型に曲げ、その中に連銷した物体を通して先端と最後部を繋いでリング状の形態にし、上部に設けた車輪に掛ける。それを液体内に入れて稼動させる発動装置に関するものである。
【背景技術】
【０００３】  従来、発動装置を稼動させるとき、原子力、石油、ガス、石炭の類が燃料として使用されている。又、ダムの水や河川の水も大量に使用されている。
以上のことはよく知られている。
【発明の開示】
【発明が解決しようとする課題】
【０００４】  発動装置を稼動させるとき、原子力、石油、ガス、石炭の類が燃料として使用され、ダムや河川の水も使用されて来た。人類はその膨大な経費の損失に苦慮して来た。更に、地球環境の悪化をまねき、人類の生存をすら危うくする代償を仕拂って来た。
本発明は、以上の問題点を解決するためなされたものである。
【課題を解決するための手段】
【０００５】  本発明は、最上部に車輪を設け、その下に液圧や摩擦に耐え得るＪ型筒を設ける。それに筒の内形に形態を合わせた硬質な物体を多数連銷して通し、リング状に繋いで上部の車輪に掛ける。それをＪ型筒の最上部の手前迄液体にしずめる。
銷状の物体がＪ型筒の内部を通過するときは液圧の影響が少ないので、その重量によって下降する。最下部をＪ型に通過して液中に入ったときは液体と同等又は軽い重量となるので液圧による浮力で上昇する。
よって本発明は、従来の発動手段を用いずに稼動し続ける。
本発明は、以上の構成からなる発動装置である。
【発明の効果】
【０００６】  本発明は、以上の構成からなるので、これを使用するとき、物体の重力と液圧による浮力の動力原で稼動するので、膨大な量の水の廃棄と燃料費を削減し、地球温暖化によるあらゆる分野への悪影響が減少する。
さらに、本発明は、発電装置を稼動させることができるので、家庭や会社、公共施設等に直接電力を供給できる。
よって人類の生活環境を豊かにするものである。
【発明を実施するための最良の形態】
【０００７】  以下、本発明の実施の形態を説明する。
（イ）回転軸（１）に不定型車輪（２）を取り付け、それに鉄塊動力原（３）を番い（６）で多数銷状に繋いでＪ型筒（４）に通し、最先端と最後部を繋いでリング状にする。それを車輪に掛けて組立てが完成する。
（ロ）鉄塊動力原（３）がＪ型筒（４）の上部から入り、最下部を通過した後、Ｊ型筒（４）の最上部手前迄満した液体（５）の中を上昇し、不定型車輪（２）に添って上部を巡り、Ｊ型筒（４）に入って下降する。
本発明は、以上の構成よりなる。
本発明を使用する場合は、適切な容器又はスペースを設けてその中に本発明を個定し、回転軸（１）又は車輪（２）に発電装置や他の機械器具類を用途に応じて接続する。
よって本発明は、簡単かつ明瞭な仕組の良さがある。
【図面の簡単な説明】
【０００８】
【図１】本発明の斜視図
【図２】本発明の側面図
【図３】本発明の縦断面図
【図４】本発明の内部構造部分斜視図
【図５】本発明の実施側面図
【符号の説明】
【０００９】  （１）回転軸  （２）不定型車輪、（３）鉄塊動力原、（４）Ｊ型筒、（５）液体、（６）番い、（７）氣空間、
【図１】
2012145094.tif 000003
【図２】
2012145094.tif 000004
【図３】
2012145094.tif 000005
【図４】
2012145094.tif 000006
【図５】
2012145094.tif 000007
(57)【要約】【課題】湾内や河口・出入口等に直接潮力発電用の水車やダムを設けるのは、地域生活に支障をきたす恐れがある。【解決手段】本発電方式は、なるべく地域住民の支障にならないような場所で尚且つ、海と湾（海）の間を地下トンネルで貫通し、発電施設も地下に設置するものである。施設を地下に設ける事により騒音等を軽減し環境にやさしい効果が期待できる。海水を利用する為渇水等の心配が無く、干潮満潮は毎日必ず起きるので一定した発電が期待できる。【選択図】図５
2012145091.tif 000002
【特許請求の範囲】
【請求項１】
大村湾等、湾面積は大きいが外海と通じる出口が狭く、外海が満潮時でも湾内に海水が満たされず外海と水位差が生じる。干潮の場合はその逆で湾内の海水が外海に排水しきれず外海と水位差を生じさせている。これは湾内と外海で潮位の差が生じている為である。
この潮位差を利用し発電を行う方法である。
湾と外海の間に海水を通すトンネルを設け、トンネル間に発電機を設置する。
湾と外海の間では、海水位が高い方から低い方へ流れる為、その流れる海水がトンネル内の発電用タービンを回転させる事により発電を行う。
この発電方法は潮位差を生じさせる海峡や、半島・岬等で海を仕切られている場所でも潮位差発電を行う事が出来る。
【発明の詳細な説明】
【技術分野】
【０００１】本発明は、潮位差を起こす海間を利用し、発電を行う。
【背景技術】
【０００２】従来の潮力発電は、潮流の早さを利用しその場所に水車等を設置し発電するものや、湾や河口等にダムを設け満潮時に貯水し干潮時放出して発電を行うものがある。
【発明の概要】
【発明が解決しようとする課題】
【０００３】湾内や河口・出入口等に直接潮力発電用の水車やダムを設けるのは、地域生活や水上交通に支障をきたす恐れがある。
【課題を解決するための手段】
【０００４】本発電方式は、なるべく地域の支障にならないような場所で尚且つ、潮位差を起こしやすい海と湾（海）の間を地下トンネルで貫通し、発電施設も地下に設置するものである。
【発明の効果】
【０００５】施設を地下に設ける事により騒音等を軽減し環境にやさしい効果が期待できる。【０００６】海水を利用する為渇水等の心配が無く、干潮満潮は毎日必ず起きるので常に一定した発電が期待できる。
【図面の簡単な説明】
【０００７】
【図１】出口が狭小の湾の場合の発電用導水用トンネル設置例
【図２】狭小の海峡の場合の発電用導水用トンネル設置例
【図３】長い半島の場合の発電用導水用トンネル設置例
【図４】導水用トンネル及び発電機設置平面図
【図５】導水用トンネル及び発電機設置断面図
【発明を実施するための形態】
【０００８】以下、本発明の実施の形態を図１〜図５に基づいて説明する。
【０００９】図１の様な出口が狭小な湾の場合、湾内と外海間で満干潮時海水の出入りが制限され、それに伴って湾内と外海間で潮位の差が生じる。
【００１０】そこで湾内と外海間が比較的短い部分に導水用トンネルを設ける。現況出口と違う場所に設置することにより、地域生活になるべく支障をきたさぬ様考慮したものである。
【００１１】図２・図３も上記と同じ考えに基づいている。
【００１２】図４では導水用トンネルの形状及び発電機の位置を示しており、導水用トンネルは発電機を中心に湾及び外海に向かって勾配を付け拡大させる。これは幅広い海水を発電機に集中させ発電効率を高めるためであり、又発電利用後の海水を素早く排水するためでもある。
【００１３】導水用トンネルは左右対称とし満潮時と干潮時で流水方向が逆転した場合にそれぞれで同じ機能を発揮出来る様にする。発電機も同様に流水方向が逆転してもそれぞれで発電出来る様にする。
【００１４】波消しブロックは台風等高波を防ぐ目的と、ゴミや流木等発電機に支障を起こすものを除去する目的である。
【００１５】図５も図４と同じ考えに基づいている。
【図１】
2012145091.tif 000003
【図２】
2012145091.tif 000004
【図３】
2012145091.tif 000005
【図４】
2012145091.tif 000006
【図５】
2012145091.tif 000007
(57)【要約】【課題】電動機上部空間のオイルの滞留を抑え、オイル吐出を低減する圧縮機を提供する。【解決手段】密閉容器１内に回転子２および固定子３からなる電動機部と、前記電動機部と連結される圧縮機構部４とを備え、前記密閉容器底部にオイルを収納する圧縮機であって、回転子２に螺旋形状の冷媒通路５を、回転子の上側空間側の冷媒通路に連通する冷媒ガイド６を設けることにより、電動機上部空間のオイルを電動機下部空間に流し電動機上部空間のオイルの滞留を抑えることにより、圧縮機のオイル吐出を低減する。【選択図】図２
2012145024.tif 000002
【特許請求の範囲】
【請求項１】
密閉容器内に回転子および固定子からなる電動機部と、前記電動機部と連結される圧縮機構部とを備え、前記密閉容器底部にオイルを収納する圧縮機であって、
前記回転子内部に設けた冷媒通路は螺旋形状であり、前記回転子の上部空間側に、前記冷媒通路と連通する冷媒ガイドを設けたことを特徴とする圧縮機。
【発明の詳細な説明】
【技術分野】
【０００１】
本発明は空気調和機の室外機等に設けられる圧縮機に関するものである。
【背景技術】
【０００２】
一般に空気調和機や冷凍機等に用いられる圧縮機は、密閉容器内に回転子と固定子からなる電動機部と、この電動機部と連結される圧縮機構部と、密閉容器底部にオイルを備えている。このような圧縮機では、冷媒とオイルとの分離が密閉容器内で十分行われないと、外部回路にオイルが含まれた冷媒が流出する。これにより、冷却効率が低下すると共に、密閉容器内の底部のオイルが不足して、圧縮機構部における作動が円滑に行えなくなるおそれがある。
【０００３】
一般的な圧縮機には、回転子の内部に垂直に冷媒通路を設けており、圧縮機構部から吐き出された冷媒は、回転子の下部空間から冷媒通路を経由し上部空間に流れ、圧縮機から吐き出される（例えば、特許文献１参照）。
【先行技術文献】
【特許文献】
【０００４】
【特許文献１】特開２００５−３５１１２２号公報
【発明の概要】
【発明が解決しようとする課題】
【０００５】
前記従来の構成では、オイルを含んだ冷媒は回転子の下部空間から上部空間に流れるため、特に高速運転などの冷媒流量が大きくなる運転条件においてはオイルが電動機の上部空間に滞留し、そのオイルが直接圧縮機から吐き出される。これにより、オイル吐出が多くなり、冷却効率が低下する。また、密閉容器内の底部のオイルが不足して、圧縮機構部における作動が円滑に行えなくなるなどの課題を有している。
【０００６】
本発明は、前記従来の課題を解決するもので、電動機上部空間のオイルの滞留を抑え、圧縮機のオイル吐出の低減する圧縮機を提供することを目的とする。
【課題を解決するための手段】
【０００７】
前記従来の課題を解決するために、本発明の圧縮機は、密閉容器内に回転子および固定子からなる電動機部と、前記電動機部と連結される圧縮機構部とを備え、前記密閉容器底部にオイルを収納する圧縮機であって、前記回転子内部に設けた冷媒通路は螺旋形状であり、前記回転子の上部空間側に、前記冷媒通路と連通する冷媒ガイドを設けたものである。これにより、オイルを含んだ冷媒を回転子の上部空間から下部空間に流すことにより、電動機上部空間のオイルが電動機下部空間に流れるため、電動機上部空間のオイルの滞留が抑えられ、オイル吐出を低減することができる。
【発明の効果】
【０００８】
以上のように本発明によれば、電動機上部空間のオイルの滞留が抑えられ、オイル吐出を低減することができる。
【図面の簡単な説明】
【０００９】
【図１】本発明の実施の形態１における圧縮機の概略図
【図２】本発明の実施の形態１における回転子の概略図
【発明を実施するための形態】
【００１０】
本発明の圧縮機は、密閉容器内に回転子および固定子からなる電動機部と、前記電動機部と連結される圧縮機構部とを備え、前記密閉容器底部にオイルを収納する圧縮機であって、前記回転子内部に設けた冷媒通路は螺旋形状であり、前記冷媒通路と連通する前記回転子の上部空間側に冷媒ガイドを設けている。
【００１１】
以下、本発明の実施の形態について図面を参照しながら説明する。なお、この実施の形態によって本発明が限定されるものではない。
【００１２】
（実施の形態１）
図１は、本発明の実施の形態１における圧縮機の概略図を示すものである。また、図２は本発明の実施の形態１における回転子の概略図を示すものである。
【００１３】
図１において、１は密閉容器で、この密閉容器１内には回転子２と固定子３からなる電動機部と、その下側に圧縮機構部４、密閉容器１の底部にはオイルが備えられている。図２において、回転子２には冷媒通路５が、回転子２の上側空間側には冷媒ガイド６が設けられている。
【００１４】
以上のように構成された圧縮機について、以下その動作、作用を説明する。
【００１５】
本実施の形態の冷媒通路５は螺旋形状であり、冷媒ガイド６は回転子の上部空間側の冷媒通路５に被さるよう設けられている。すなわち、冷媒ガイド６と冷媒通路５は連通している。
【００１６】
このような構造において、電動機上部空間に滞留したオイルは冷媒ガイド６に取り込まれ、冷媒通路５を通り電動機下部空間に流される。
【００１７】
以上のように、本実施の形態においては冷媒通路５を螺旋形状にし、回転子２の上部空間側に冷媒ガイド６を設けることにより、電動機上部空間のオイルを電動機下部空間に流すことで電動機上部空間のオイルの滞留を抑え、圧縮機のオイル吐出を低減することができる。
【産業上の利用可能性】
【００１８】
以上のように、本発明に係る圧縮機は、圧縮機のオイル吐出を低減することが可能となるので、空調装置や冷凍機器のほかにヒートポンプ式の除湿機や給湯機等の用途にも適用できる。
【符号の説明】
【００１９】
１  密閉容器
２  回転子
３  固定子
４  圧縮機構部
５  冷媒通路
６  冷媒ガイド
【図１】
2012145024.tif 000003
【図２】
2012145024.tif 000004
(57)【要約】【課題】  乾燥機の熱源を遠赤外線にする事で、果物・野菜・キノコ類・魚類・草花等の芯から低温で乾燥させる事が可能となり、その為、その対象物の持つ成分とか色合いを保ったままで、その過程において、生体水も抽出でき、乾燥度合いも任意に設定出来る事から、対象物の持つ形以外の全ての物を、壊さず、失わず求める乾燥度合いの乾燥品を生産する事のできる技術を提供します。【解決手段】  本装置を用いて、果物・野菜・キノコ類・魚類・草花等の乾燥において、成分・色を変える事無く、その対象物の、生体水も抽出でき、対象物の持つ形以外の全ての物を残したまま、粉末に出来得る乾燥品から一夜干し程度の乾燥品と、全く違った形で保存できる技術を特徴とします。【選択図】図２
2012145316.tif 000002
【特許請求の範囲】
【請求項１】
遠赤外線パワーヒートパイプで低温乾燥させる時、果物・野菜・キノコ類・魚類・草花等の出す水分（汗）で上がった湿度を管理し、除湿機で、生体水として取出す。
【請求項２】
果物・野菜・キノコ類・魚類・草花等の対象物の重量が計測でき、水分として、放出した重量が計量できる機能を有する。
【請求項３】
タッチパネルで、温度・湿度・時間・水分重量を任意に設定でき、この条件をデータ的に残す事が出来る。
【発明の詳細な説明】
【技術分野】
【０００１】  この発明は、食品（果物・野菜・キノコ類・魚類）・草花等の乾燥機における、対象物の乾燥度合いが表示され、その表示通りの対象物の乾燥が出来る乾燥機。
【背景技術】
【０００２】  果物・野菜・キノコ類・魚類・草花等を乾燥させる時、温度と風量で水分を除去し、乾燥させますが、乾燥の具合は、温度管理・風量管理・時間管理で、食品・草花等の対象物の乾燥の具合を目視したり、手で触って確認し、これらのデータを基に経験値で、乾燥食品やドライフラワーを作っていました。
【発明の概要】
【０００３】  従来の乾燥機に、果物・野菜・キノコ類・魚類・草花等の対象物の重量を管理できる機能を加える事で、乾燥した水分量を計測したり、予定水分量を設定できれば、一夜干しから乾燥品まで自由に設定でき、誰でも、安定した食品・草花等の乾燥品ができる様になります。
又、遠赤外線の熱を利用する事で、対象物の芯から水分を抽出する為、対象物の水分率も均一化され、この為、低温での処理も可能になり、対象物本来の栄養素等の成分も壊される事なく、色も鮮やかさを保つ事が可能となります。
【発明が解決しようとする課題】
【０００４】従来の乾燥機には次の様な欠陥が有りました。
１．温度と風量と時間の管理の為、時間を短くするには、温度を高くし、風量を多くする事が必要で、又、温度を下げると時間が長く必要でした。
２．温度を上げると、対象物の表面温度が上がる為、熱変化を起こし、茶色が濃くなります。又、本来の成分が失われました。
３．対象物に温度を与えると、対象物から水分が出て来て、開放型の乾燥機の場合熱と共に水分を大気開放しますが、熱効率が悪く、密閉式の場合、機内の湿度が高くなり、この時、気化熱に奪われる為、やはり熱効率が悪くなります。
４．又、加熱状態で対象物の乾燥具合を確認する場合、覗き窓等から確認する方法は有りますが、対象物の裏側、対象物をトレー上に置いた時の下側等は確認できなく、作業を一時中断し、対象物を目視したり、手で触ったりした場合、やはり熱効率は悪くなると共に、時間のロスを生じます。
これらの事を含め、本発明は、対応できる様に考案された物です。
【課題を解決するための手段】
【０００５】１．遠赤外線発生源をパワーヒートパイプとし、乾燥機内に設置します。
２．熱源をエコ給湯システムの夜間電力仕様とします。
３．乾燥機内に熱伝対を数箇所設け、機内温度の安定化を行います。
４．乾燥機内上部に攪拌用ファンを設け、機内温度の均一化を行います。
５．乾燥機内に湿度センサーを設け、設定した湿度になった場合、除湿機が働き、機内の湿度を安定化させます。
６．除湿機から発生する水は、その対象物の持つ生体水として、貯水できます。
この時の発生量がモニターでき、対象物から水分が抽出された物とし、乾燥度の確認が出来ます。
７．乾燥機下部にロードセルを設け、移動棚とトレーと対象物の総重量から移動棚とトレー重量の差を対象物重量とし、乾燥度が設定出来ます。
８．タッチパネルで、温度・湿度・乾燥重量・時間を任意に設定でき、その条件を残す事の可能な制御とします。
【発明の効果】
【０００６】１．本発明は、果物・野菜・キノコ類・魚類・草花等の乾燥を遠赤外線の利用で対象物内部  から乾燥させる事により、低温処理を可能にした為、対象物の本来の成分とか色を変える事無く、乾燥品を作る事ができます。
２．果物・野菜・キノコ類・魚類・草花等の出す、生体水を利用できます。
３．乾燥度合いを数値で管理できる為、一夜干しからドライフラワーまでの必要に応じた乾燥度合い品が安定して生産できます。
４．果物・野菜・キノコ類・魚類・草花等それぞれの最も条件の良い温度・湿度・時間・対象物重量が管理できる為、同じ対象物でも、同じ産地でも、乾燥の度合いによって、それぞれ特徴のある乾燥品が生産できます。
これらの事から、季節物も産地物も供給過多に陥った時、乾燥品として、再生したり、又、乾燥の度合いを変える事によって、新しい形態の乾燥品が生まれたり、対象物を芯から乾燥させている為、均一化された粉末にする事も可能です。
又、体に良いとされる、ゴーヤ・菊芋・アロエ等の健康作物の自然乾燥食品として食べ易い状態での乾燥品にしたりと、大いに役立つ発明です。
【図面の簡単な説明】
【０００７】
【図１】  本発明の平面図。
【図２】  本発明の正面図。
【符号の説明】  １．パワーヒートパイプ。
２．エコ給湯システム。
３．熱伝対。
４．攪拌用ファン。
５．湿度センサー。
６．除湿機。
７．生体水排出口。
８．ロードセル。
９．タッチパネル。
１０．乾燥庫
【発明を実施するための形態】
【０００８】  以下、本発明を実施する形態について説明する。
遠赤外線の出るパワーヒートパイプ（１）を効率よく配置した観音開きの乾燥庫（１０）の中に、果物・野菜・キノコ類・魚類・草花等の入ったトレーを移動棚に積込み、この移動棚ごと手で入れ込み、扉を閉めます。
本装置のタッチパネル（９）で、温度・湿度・時間・水分重量を設定し、完了時間を待ちます。この時、生体水排出口（７）からの排出水の分量を確認します。
乾燥庫（１０）の扉を開き、移動棚を引き出し、トレー上の乾燥品を取出します。
【図１】
2012145316.tif 000003
【手続補正書】
【提出日】平成23年3月9日(2011.3.9)
【手続補正１】
【補正対象書類名】図面
【補正対象項目名】全図
【補正方法】変更
【補正の内容】
【図１】
2012145316.tif 000004
【図２】
2012145316.tif 000005
(57)【要約】【課題】水環境により、特に自然環境の中に、バイオキャリアと水処理機構を設置するのを制限する要素が多くて、単独で設置すると、コスト及び相互影響などの面から問題が発生する。【解決手段】本発明により、バイオキャリアと水処理機構を一体化し、コスト及び相互影響などの問題を解決できる。また、バイオキャリアと水処理機構の組み合わせで、水処理効果を向上できる。水処理装置の連携で大面積の対応ができる。水処理機構の駆動動力源は太陽光発電により賄う、省エネルギーが達成できる。更に、水処理場の空間を利用し太陽光発電を行い、他の施設にエネルギーを提供することができる。【選択図】図１
2012000607.tif 000002
【特許請求の範囲】
【請求項１】
バイオキャリアと水質浄化機構部を浮体により一体化する構造。
【請求項２】
バイオキャリアと太陽光発電構造部を支える浮体を一体化する構造。
【請求項３】
バイオキャリアと水質浄化機構部、及び太陽光発電構造部を一体化する構造。
【請求項４】
太陽光発電したエネルギーを利用し、水質浄化処理機構部により、バイオキャリアの水質浄化処理を促進する方法。
【請求項５】
上記１、２、３、４請求項を用いて利用される浮体構造。
【請求項６】
上記１、２、３、４請求項を用いて利用される各種のバイオキャリア。
【請求項７】
上記１、２、３、４請求項を用いて利用されるポンプ、撹拌機、曝気機など各種の水質浄化機構部。
【請求項８】
上記１、２、３、４請求項を用いる水処理装置。
【請求項９】
上記８請求項を用いる水処理装置を連携するための接続機構、センサー及び制御システム。
【請求項１０】
上記９請求項を用いる太陽光発電の利用方法。
【請求項１１】
上記９請求項を用いる水質浄化処理システム。
【発明の詳細な説明】
【技術分野】
【０００１】本発明は、太陽光発電したエネルギーを利用する水処理装置である。
【背景技術】
【０００２】水環境は地球におけるもっとも深刻な環境問題のひとつである。排水、汚水を処理するため、さまざまな技術が開発された。この中、バイオキャリアは、重要な役割を果たして、多数な品種まで発展してきた。一方、通常の水処理に不可欠な嫌気、好気などの処理過程に使われるエネルギーが多くて、水処理過程に消費されたエネルギーの大部分を占める。本願は太陽光発電したエネルギーを利用する水処理装置である。
【先行技術文献】
【０００３】今まで、太陽光発電したエネルギーはすでに水浄化処理に応用された。しかし、バイオキャリアと太陽光発電装置一体化し、より便利かつ効率的な水処理装置はまだない。
【発明の概要】
【発明が解決しようとする課題】
【０００４】バイオキャリアと撹拌機、曝気機などの水質浄化処理機構部により浄化処理を行う同時に、電力を他の動力源から提供することなしに、独立して設置することが可能な水処理装置を提供する。
【課題を解決するための手段】
【０００５】処理水の水面付近に装置本体を浮かせる浮体と、該浮体の下部にバイオキャリアを水深方向に取り付ける。該浮体の上部に太陽光発電するための太陽電池、蓄電池などの部品が設置される、下部に撹拌機、曝気機などの浄化処理機構部を取り付ける。
【発明の効果】
【０００６】本発明による水処理装置では、バイオキャリアと水質浄化処理機構部が一体化設置できる、従って、水環境に応じて、様々なバイオキャリアと浄化処理機構部の組み合わせで、水処理効果を向上できる。単独で設置することもできるし、複数の水処理装置の連携で大面積の処理も対応できる。撹拌機、曝気機、ポンプなどの水質浄化処理機構部の駆動に要する電力の一部あるいは全部を水処理装置に設置される太陽光発電構造部により賄う。更に条件によって、余分の電力を他の施設に供給することもできる。
【図面の簡単な説明】
【０００７】
【図１】本発明の応用例の構造
【図２】本発明の応用例
【発明を実施するための形態】
【０００８】以下、本発明の実施例の形態について説明する。
（イ）浮体（図１の２）の下部に適応なバイオキャリア（図１の７）を取り付ける。
（ロ）浮体に適応な水質浄化処理機構部（図１の５、６）を設置する。
（ハ）浮体の上部に太陽光発電構造部（図１の１、３、４）を設置する。
（ニ）本発明水処理装置を単独で水処理環境の水面に置く。
（ホ）或いは複数な水処理装置が連携で水浄化処理を行う（図２）。
【符号の説明】
【０００９】１：太陽光パネル
２、浮体
３：蓄電池
４：コントロール
５：水質浄化処理機構部
６：安全チューブ
７：バイオキャリア
【図１】
2012000607.tif 000003
【図２】
2012000607.tif 000004
(57)【要約】【課題】  マグネットを利用したメモホルダーが多数利用されているが、使用時に両手を必要としたり、落下してしまったり、構造が複雑で高コストであったり、メモを並列に保持出来なかったり、メモホルダー自体の大きさを変えることができずさまざまな不便が有った。  本発明は、それらの不便を解消し、ワンタッチで単数、複数のメモを抜き挿しでき、必要であれば自由な大きさに切断して使え、更に広い表示面を有するワンタッチメモホルダーを提供する。【手段】    マグネットシートの任意の部分に、本体より延長する舌状体を、並列連続的に形成した押圧片の先端に、メモを保持する押圧子を設け、マグネットシートの着磁力、弾性による押圧力を押圧子に伝えメモを保持する。  又、場合によっては押圧子と押圧片、さらにはそれらと本体により、メモを保持する。【選択図】図１
2012000971.tif 000002
【特許請求の範囲】
【請求項１】
任意形状の本体と、それより延長する舌状体を、先端に向けてそれぞれが切離独立する状態で、並列連続的に構成された押圧片の先端に、誘い込み角（ワンタッチメモホルダーを被着磁体に着磁させた際に、被着磁体と押圧子とで構成される、メモを滑り込み易くするための開口角）を形成する形状の押圧子を設けたワンタッチメモホルダー。
【請求項２】
本体及び押圧片と押圧子を一体に形成したことを特徴とする、請求項１のワンタッチメモホルダー。
【請求項３】
本体及び押圧片を一体に形成し、別体に設けた押圧子を取り付けて一体に構成したことを特徴とする、請求項１のワンタッチメモホルダー。
【請求項４】
本体裏面の一部に、両面テープを設けたことを特徴とする、請求項１、請求項２、請求項３のワンタッチメモホルダー。
【発明の詳細な説明】
【技術分野】
【０００１】  本発明は、ホワイトボード、冷蔵庫、スチールロッカーその他生活周りの被着磁体に着磁したマグネットシートの着磁力及びその弾性と、メモを押さえて保持する押圧子とを組み合わせ、片手で簡単に複数のメモを抜き挿し出来、しかも場合によっては自由な長さに切り任意のサイズにして使用する事が出来、更に広い広告等のスペースを有するワンタッチメモホルダーに関するものである。
【背景技術】
【０００２】  従来、マグネットを利用したメモホルダーは、マグネットに合成樹脂、金属等で装飾やツマミをつけたもの、棒状の可撓性マグネットで押さえるもの、クリップにマグネットを設けたもの、メモ保持部に遊動体やブラシ状のものを設け裏面にマグネットを設けたもの、マグネットシートの平面内に、切り込みを入れてメモを押さえるもの等が有る。
【先行技術文献】
【０００３】
【特許文献１】特開２００１−０９６９６３号公報
【特許文献２】特開２００１−１１３８７０号公報
【特許文献３】特開平１１−３２１１７０号公報
【特許文献４】特開２００１−０３９０７０号公報
【特許文献５】特開２００６−３０５９７０号公報
【発明の概要】
【発明が解決しようとする課題】
【０００４】  従来のメモホルダーは様々な構造のものがあるが、それぞれに共通する欠点、もしくは共通しない次のような欠点があった。
（イ）メモを保持する際に、両手を使用しなければならない。
（ロ）不用意にメモを動かすと、メモホルダーが離脱、落下してしまう。
（ハ）構造が複雑で、コストが高い。
（ニ）メモホルダー単体ではメモを重ねて保持することは可能であるが、並列して保持することは出来ない。
（ホ）棒状のマグネット式メモホルダーでは並列に保持が可能であるが、中間のメモを単体で自由に抜き差しすることは出来ず、メモホルダーを浮かすと他のメモもはずれてしまう。
（ヘ）メモホルダー自体を鋏やカッターナイフで簡単に切断し、自由な大きさにして使用することは出来ない。
（ト）広告、その他メッセージを載せる広いスペースがとれない。
本発明は、以上の問題点を解決するためになされたものである。
【課題を解決するための手段】
【０００５】  メモホルダー本体を保持するのに充分な大きさの任意形状のマグネットシートに、マグネットシート本体より延長する舌状体を、先端に向けてそれぞれが独立する状態で左右に連続的に切離された押圧片の先端に、被着磁体にメモホルダーを着磁させた際に、メモを滑り込ませるのに適した「誘い込み角」を形成する形状の押圧子を設ける。
以上の構成よりなるワンタッチメモホルダーである。
【発明の効果】
【０００６】  本発明を使用することにより、薄いレシート、通常の上質紙の書類、葉書、更に厚いものまで小さい力で、大小に拘わらずメモホルダーに触れることなく、ワンタッチでメモを抜き挿しすることが出来る。
又本発明はその構造上、ある程度自由な大きさに製造できるので、横長に形成すれば複数のメモを並列に保持可能となり、更に中間に保持されたメモを他のメモに影響を与えること無く、抜き挿しする事が出来る。
また本発明は構造上その表面に広いスペースを有するため、広告、さまざまなメッセージ、キャラクターその他を表現出来る。
さらに大きな特徴として、本体が鋏やカッターナイフで簡単に切断可能な材質のため、必要に応じて、適当な大きさに切断して使用することが出来る。
尚、本出願は主にマグネットシートを利用したものであるが、本体裏の一部に両面テープもしくは接着剤又は画鋲等を利用すれば、マグネットの利用できない壁面等でも、同様の効果を得られる。
さらに、両面テープ、接着剤もしくは画鋲等を利用すれば、着磁性の無い合成樹脂、金属板、その他同様のしなやかな弾性を有する物でも可能となる。
【図面の簡単な説明】
【０００７】
【図１】本発明の使用状態を示す斜視図
【図２】本発明の使用状態を示す断面図
【図３】本発明の実施例を示す斜視図
【図４】本発明の実施例を示す正面図
【図５】本発明の実施例を示す正面図
【図６】本発明の実施例を示す正面図
【図７】本発明の実施例を示す正面図
【発明を実施するための形態】
【０００８】  以下。本発明の実施の形態を説明する。
マグネットシート本体（１）より延長した、それぞれが切離独立する状態で、並列連続的に形成された舌状の押圧片（２）の先端に、メモ等を滑り込み易くするための誘い込み角（５）を有する押圧子（３）を設ける。
本発明は以上の構成よりなる。
本発明を使用する場合は、ホワイトボード、冷蔵庫、スチールロッカー、その他マグネットが着磁する被着磁体に、マグネットシートで形成された広い着磁面を有する本体（１）を着磁させることにより、本体（１）と同様の材質で形成された押圧片（２）の着磁力と弾性により、押圧子（３）を適度な力で被着磁面に押し当てる事になる。
以上のように設置された被着磁体（６）と押圧子（３）とで構成される誘い込み角（５）より、メモ（４）を滑り込ませれば片手で簡単に保持することができる。
メモを取り外す際も保持する際と同様に、片手で簡単に取り外す事ができる。
【符号の説明】
【０００９】１  本体
２  押圧片
３  押圧子
４  メモ
５  誘い込み角
６  被着磁体
７  穴
８  切り込み線
【図１】
2012000971.tif 000003
【図２】
2012000971.tif 000004
【図３】
2012000971.tif 000005
【図４】
2012000971.tif 000006
【図５】
2012000971.tif 000007
【図６】
2012000971.tif 000008
【図７】
2012000971.tif 000009